(57)【要約】【課題】壁状の被装着体と竿状の被装着体とに使用できる物干し具を提供する。【解決手段】物干し具１は、物干し本体１０と、その被支持部１０Ａを支持する支持アーム２０と、被支持部１０Ａに対する支持アーム２０の前後方向での支持位置調節を可能にする位置調節部３０とを有し、支持アーム２０は、壁状の第１被装着体２の被係合部２Ａに対して係脱自在な第１係合部２１と、竿状の第２被装着体に係脱自在な第２係合部２２とを有し、物干し本体１０は、第１係合部２１が被係合部２Ａに係合されたときに第１被装着体２に受け止められる被受止部１８を有し、位置調節部３０は、第１係合部２１が被係合部２Ａに係合されて被受止部１８が第１被装着体２に受け止められる第１使用状態と、第２係合部２２が第２被装着体に係合される第２使用状態とのそれぞれにおいて、物干し本体１０の所望の物干し姿勢での姿勢保持を可能にする複数の支持位置を有する。【選択図】図６
2020048669.tif 000002
【特許請求の範囲】
【請求項１】
被支持部が左右に配置された物干し本体と、前記被支持部を吊り下げ支持する左右の支持アームと、前記被支持部に対する前記支持アームの前後方向での支持位置調節を可能にする左右の位置調節部とを有し、
前記支持アームは、前記物干し本体の後方に位置する壁状の第１被装着体に備えられた被係合部に対して係脱自在な第１係合部と、前記物干し本体の上方に位置する竿状の第２被装着体に対して係脱自在な第２係合部とを有し、
前記物干し本体は、前記第１係合部が前記被係合部に係合されたときに、前記第１被装着体に受け止められる被受止部を有し、
前記位置調節部は、前記第１係合部が前記被係合部に係合され、かつ、前記被受止部が前記第１被装着体に受け止められる第１使用状態と、前記第２係合部が前記第２被装着体に係合される第２使用状態とのそれぞれにおいて、前記物干し本体の所望の物干し姿勢での姿勢保持を可能にする複数の支持位置を有している物干し具。
【請求項２】
前記被支持部には、前後方向に長い固定軸と、前後方向に並ぶ複数の被係止部とが平行に配置され、
前記支持アームには、前記固定軸に前後摺動可能かつ左右方向に回動可能に嵌合する嵌合部と、複数の前記被係止部に択一的に係止可能な係止部とが備えられ、
前記位置調節部は、前記固定軸と前記嵌合部との嵌合により、前記被支持部に対する前記支持アームの前後摺動と左右方向への起伏揺動とが可能な状態で前記被支持部を前記支持アームに支持させる支持部と、前記支持アームが前記物干し本体に対して起立する吊り下げ姿勢においては、前記係止部がいずれかの前記被係止部に係止して前記被支持部に対する前記支持アームの前後摺動を阻止するロック状態になり、かつ、前記支持アームが前記物干し本体に向けて傾倒する非吊り下げ姿勢においては、前記係止部が前記被係止部から離脱して前記被支持部に対する前記支持アームの前後摺動を許容する解除状態になるロック部とを有している請求項１に記載の物干し具。
【請求項３】
前記被支持部には、前後方向に一定ピッチで並ぶ多数の凹部が形成され、
前記支持アームには、前記凹部と同じ一定ピッチで前後方向に並ぶ複数の係止爪が備えられ、
前記係止部は、前記複数の係止爪により形成され、かつ、前記複数の被係止部は、前記多数の凹部において前記複数の係止爪と同数で前後方向に連続して並ぶ複数の凹部により形成されている請求項２に記載の物干し具。
【請求項４】
前記支持アームは、前記第１使用状態及び前記第２使用状態において、前記被支持部から上方に延びる第１アームと、前記第１アームにおける上端部の後端から後方に延びる第２アームと、前記第２アームの後端部から下方に延びる第３アームと、前記第１アームにおける上端部の前端から前下方に向けて湾曲する第４アームとを有し、
前記第１係合部は、前記第２アームと前記第３アームとから前記第１アームの後側に形成され、
前記第２係合部は、前記第１アームと前記第４アームとから前記第１アームの前側に形成されている請求項１〜３のいずれか一項に記載の物干し具。
【発明の詳細な説明】
【技術分野】
【０００１】
本発明は、例えばベランダや浴室などにおいて洗濯物を干す場合に使用される物干し具に関する。
【背景技術】
【０００２】
上記のような物干し具としては、ベランダや浴室などの被引掛材に引掛可能な引掛部を有する複数個の保持体と、保持体に対して着脱自在及び被引掛材に対向する方向に位置調節自在に連結される干置体とからなり、保持体には、被引掛材に対向する方向に並列状に形成された複数の鉤状部を有する連結部が備えられ、干置体には、各鉤状部に着脱可能な状態で被引掛材に対向する方向に並列状に配置された複数の棚杆が備えられ、複数の鉤状部と複数の棚杆とを使用した保持体に対する干置体の位置調節により、被引掛材の幅方向のサイズに応じて干置体と被引掛材との当接位置を可変自在に構成されたものがある（例えば特許文献１参照）。
【０００３】
又、網棚状に形成された物干棚主体と、物干棚主体を支持する左右一対の掛け杆とを備え、物干棚主体の左右両側部には、前後方向に沿う摺動ガイド杆が設けられ、各掛け杆の上部には、後方延出部とその後端に連続する垂下部とからなるＬ字状の掛鉤部が一体形成され、各摺動ガイド杆が各掛け杆の下端部に摺動自在に貫通されることにより、各掛け杆が物干棚主体に前後移動可能かつ起倒自在に取り付けられたものがある（例えば特許文献２参照）。
【先行技術文献】
【特許文献】
【０００４】
【特許文献１】特許第３６６５９８９号公報
【特許文献２】実開昭６２−１８２１９２号公報
【発明の概要】
【発明が解決しようとする課題】
【０００５】
特許文献１及び２に記載の物干し具は、保持体（掛け杆）の引掛部（掛鉤部）が、ベランダの手すり壁や浴室のドアなどの壁状の被装着体の上部に引っ掛けられた状態では、このときの前後バランスにより、干置体（物干棚主体）の後端が被引掛材に受け止められるようになっており、これにより、壁状の被装着体に安定性良く取り付けることができる。そして、この取り付け前に、干置体（物干棚主体）に対する保持体（掛け杆）の前後位置を適正に調節しておくことにより、物干し具を壁状の被装着体に取り付けた状態での干置体（物干棚主体）の取り付け姿勢を、水平姿勢などの所望の物干し姿勢に安定性良く保持することができる。
【０００６】
その反面、特許文献１及び２に記載の物干し具は、物干し台に支持された物干し竿などの竿状の被装着体に対しては、保持体（掛け杆）の引掛部（掛鉤部）を竿状の被装着体に引っ掛けることはできるが、竿状の被装着体には、干置体（物干棚主体）の後端を受け止める受止部がないことから、このときの前後バランスにより、干置体（物干棚主体）の後端が後上方に変位して、干置体（物干棚主体）が前下がり傾斜姿勢で不安定に吊り下げられた状態になる。そして、この不安定な吊り下げ状態は、干置体（物干棚主体）に対する保持体（掛け杆）の前後位置を調節しても改善されることはない。
【０００７】
つまり、特許文献１及び２に記載の物干し具は、ベランダの手すり壁や浴室のドアなどの壁状の被装着体に装着して使用されるものであり、物干し台に支持された物干し竿などの竿状の被装着体に装着して使用することはできないことから、物干し具の汎用性を高める上において改善の余地がある。
【０００８】
この実情に鑑み、本発明の主たる課題は、ベランダの手すり壁や浴室のドアなどの壁状の被装着体だけでなく、物干し台に支持された物干し竿などの竿状の被装着体にも装着して使用することができる汎用性の高い物干し具を提供する点にある。
【課題を解決するための手段】
【０００９】
本発明の第１特徴構成は、物干し具において、
被支持部が左右に配置された物干し本体と、前記被支持部を吊り下げ支持する左右の支持アームと、前記被支持部に対する前記支持アームの前後方向での支持位置調節を可能にする左右の位置調節部とを有し、
前記支持アームは、前記物干し本体の後方に位置する壁状の第１被装着体に備えられた被係合部に対して係脱自在な第１係合部と、前記物干し本体の上方に位置する竿状の第２被装着体に対して係脱自在な第２係合部とを有し、
前記物干し本体は、前記第１係合部が前記被係合部に係合されたときに、前記第１被装着体に受け止められる被受止部を有し、
前記位置調節部は、前記第１係合部が前記被係合部に係合され、かつ、前記被受止部が前記第１被装着体に受け止められる第１使用状態と、前記第２係合部が前記第２被装着体に係合される第２使用状態とのそれぞれにおいて、前記物干し本体の所望の物干し姿勢での姿勢保持を可能にする複数の支持位置を有している点にある。
【００１０】
本構成によれば、この物干し具をベランダの手すり壁や浴室のドアなどの壁状の第１被装着体に装着して使用する場合は、各支持アームの第１係合部を、第１被装着体の被係合部である手すり壁の上部又はドアの上部などに係合すると、このときの前後バランスにより、物干し本体の被受止部が第１被装着体に受け止められる。これにより、物干し具を第１被装着体に安定性良く取り付けることができる。そして、この取り付け前に、支持アームの第１係合部と物干し本体の被受止部との前後方向での離隔距離が第１被装着体の厚みや形状などに応じた適正な距離になるように、物干し本体の各被支持部に対する各支持アームの支持位置を前後方向に調節しておくことにより、物干し具を第１被装着体に取り付けた状態での物干し本体の取り付け姿勢を、水平姿勢などの所望の物干し姿勢に安定性良く保持することができる。
【００１１】
又、この物干し具を物干し台に支持された物干し竿などの竿状の第２被装着体に装着して使用する場合は、各支持アームの第２係合部を、第２被装着体である物干し竿などに係合することにより、物干し具を第２被装着体に取り付けることができる。そして、この取り付け前に、物干し本体の各被支持部に対する各支持アームの支持位置を、各支持アームの第２係合部を吊り下げ位置とした物干し具の前後バランスに応じて前後方向に適正に調節しておくことにより、物干し具を第２被装着体に取り付けた状態での物干し本体の取り付け姿勢を、物干し具の自重によって水平姿勢などの所望の物干し姿勢に保持することができる。
【００１２】
その結果、ベランダやバルコニの手すり壁又は浴室のドアなどの壁状の第１被装着体に、その厚みや形状などに対応して所望の取り付け姿勢で装着することができるだけでなく、物干し台に支持された物干し竿などの竿状の第２被装着体にも、所望の取り付け姿勢で装着することができて良好に使用することができる汎用性の高い物干し具を提供することができる。
【００１３】
本発明の第２特徴構成は、
前記被支持部には、前後方向に長い固定軸と、前後方向に並ぶ複数の被係止部とが平行に配置され、
前記支持アームには、前記固定軸に前後摺動可能かつ左右方向に回動可能に嵌合する嵌合部と、複数の前記被係止部に択一的に係止可能な係止部とが備えられ、
前記位置調節部は、前記固定軸と前記嵌合部との嵌合により、前記被支持部に対する前記支持アームの前後摺動と左右方向への起伏揺動とが可能な状態で前記被支持部を前記支持アームに支持させる支持部と、前記支持アームが前記物干し本体に対して起立する吊り下げ姿勢においては、前記係止部がいずれかの前記被係止部に係止して前記被支持部に対する前記支持アームの前後摺動を阻止するロック状態になり、かつ、前記支持アームが前記物干し本体に向けて傾倒する非吊り下げ姿勢においては、前記係止部が前記被係止部から離脱して前記被支持部に対する前記支持アームの前後摺動を許容する解除状態になるロック部とを有している点にある。
【００１４】
本構成によれば、この物干し具を第１被装着体又は第２被装着体に装着して使用する場合は、非吊り下げ姿勢の各支持アームを、物干し本体の各被支持部に対して前後摺動させて、各被支持部に対する各支持アームの支持位置を、装着する第１被装着体又は第２被装着体に適した前後位置に調節した後、各支持アームを非吊り下げ姿勢から吊り下げ姿勢に起立揺動させることで、ロック部を解除状態からロック状態に切り替えることができ、各被支持部に対する各支持アームの支持位置を調整後の適正な前後位置に保持することができる。その後、各支持アームの第１係合部又は第２係合部を第１被装着体の被係合部又は第２被装着体に係合することにより、物干し具を、その自重で各支持アームを吊り下げ姿勢に維持し、かつ、各ロック部をロック状態に維持した状態で、第１被装着体又は第２被装着体に装着することができ、これにより、各位置調節部による支持位置調節が不測に行われる虞を回避することができる。
【００１５】
又、この物干し具を第１被装着体又は第２被装着体から取り外して所定の場所に収納する場合は、各支持アームの第１係合部又は第２係合部を第１被装着体の被係合部又は第２被装着体から離脱させた後、各支持アームを吊り下げ姿勢から非吊り下げ姿勢に倒伏揺動させることで物干し具の高さ寸法を短くすることができる。そして、各支持アームの倒伏揺動により、ロック部がロック状態から解除状態に切り替えられて、各被支持部に対する各支持アームの前後摺動が許容されることから、物干し具の前後長さを短くすることができる。
【００１６】
その結果、物干し具を壁状の第１被装着体と竿状の第２被装着体とに装着して使用することができる汎用性の高いものにしながら、第１被装着体又は第２被装着体に装着した使用状態では、各位置調節部による支持位置調節が不測に行われる虞を回避することができ、かつ、第１被装着体又は第２被装着体から取り外した収納状態では、物干し具を高さが低く前後長さの短い収納に適した状態にすることができる。
【００１７】
更に、各支持アームを吊り下げ姿勢に起立揺動させた物干し具の使用状態では、物干し本体における各被支持部の固定軸が各支持アームの嵌合部により支持され、かつ、各被支持部の被係止部が各支持アームの係止部により支持されることから、物干し本体の各被支持部に対する各支持アームの支持力を高めることができる。
【００１８】
本発明の第３特徴構成は、
前記被支持部には、前後方向に一定ピッチで並ぶ多数の凹部が形成され、
前記支持アームには、前記凹部と同じ一定ピッチで前後方向に並ぶ複数の係止爪が備えられ、
前記係止部は、前記複数の係止爪により形成され、かつ、前記複数の被係止部は、前記多数の凹部において前記複数の係止爪と同数で前後方向に連続して並ぶ複数の凹部により形成されている点にある。
【００１９】
本構成によれば、各支持アームの係止部を物干し本体の対応する被係止部に係止させた状態では、複数の係止爪が複数の凹部に係止していることから、被支持部に対する支持アームの前後摺動を阻止するときの負荷を、複数の係止爪と複数の凹部とに分散させることができ、その負荷に起因した係止部や被係止部の破損を生じ難くすることができる。又、前後方向に並ぶ複数の係止爪が、物干し本体の被支持部を前後方向に長く支持することから、物干し本体の各被支持部に対する各支持アームの支持力を更に高めることができる。
【００２０】
そして、物干し本体の各被支持部に対する各支持アームの前後方向での支持位置調節は、多数の凹部を前後方向に並べて形成するために狭く設定される凹部の配置ピッチで細かく行うことができる。これにより、この物干し具をベランダやバルコニの手すり壁又は浴室のドアなどの第１被装着体に装着して使用する場合は、支持アームの第１係合部と物干し本体の被受止部との前後方向での離隔距離を第１被装着体の厚みや形状などに応じたより適正な距離に調節することができる。又、この物干し具を物干し台に支持された物干し竿などの第２被装着体に装着して使用する場合は、物干し本体の各被支持部に対する各支持アームの支持位置を、各支持アームの第２係合部を吊り下げ位置とした物干し具の前後バランスに応じたより適正な位置に調節することができる。
【００２１】
その結果、物干し具を第１被装着体又は第２被装着体に装着した使用状態での物干し本体の取り付け姿勢を、水平姿勢などの所望の物干し姿勢に精度良く設定することができる。
【００２２】
本発明の第４特徴構成は、
前記支持アームは、前記第１使用状態及び前記第２使用状態において、前記被支持部から上方に延びる第１アームと、前記第１アームにおける上端部の後端から後方に延びる第２アームと、前記第２アームの後端部から下方に延びる第３アームと、前記第１アームにおける上端部の前端から前下方に向けて湾曲する第４アームとを有し、
前記第１係合部は、前記第２アームと前記第３アームとから前記第１アームの後側に形成され、
前記第２係合部は、前記第１アームと前記第４アームとから前記第１アームの前側に形成されている点にある。
【００２３】
本構成によれば、各支持アームの第１係合部と第２係合部とが第１アームを挟んで前後に配置されることから、物干し具をベランダの手すり壁などの第１被装着体に装着して使用する場合は、第１アームの後側に位置する各第１係合部を、第１被装着体の被係合部である手すり壁の上端部などに容易に係合することができ、これにより、物干し具を第１被装着体に簡単に装着することができる。又、物干し具を物干し台に支持された物干し竿などの第２被装着体に装着して使用する場合は、第１アームの前側に位置する各第２係合部を、第２被装着体である物干し竿などに容易に係合することができ、これにより、物干し具を第２被装着体に簡単に装着することができる。
【００２４】
そして、例えば、各第２係合部が第１アームや第２アームよりも上方に形成されていると、各第１係合部を使用して物干し具をベランダの手すり壁などに装着した場合に、各第２係合部がベランダの手すり壁から上方に露出することによる見栄えの低下を招くことになるが、本構成によれば、各第２係合部が第１アームや第２アームよりも上方に形成されないことから、各第２係合部がベランダの手すり壁から上方に露出することによる見栄えの低下を回避することができる。
【図面の簡単な説明】
【００２５】
【図１】物干し具の平面図
【図２】物干し具の一部縦断正面図
【図３】物干し具の右側面図
【図４】物干し具における右半部の斜視図
【図５】物干し本体における被支持部の後部側の縦断側面図
【図６】物干し具をベランダの手すり壁などの壁状の第１被装着体に装着した第１使用状態を示す斜視図
【図７】物干し具をベランダの手すり壁などの壁状の第１被装着体に装着した第１使用状態を示す左側面図
【図８】物干し具を浴室の壁などに備えられたタオル掛けを利用して壁状の第１被装着体に装着した第１使用状態を示す斜視図
【図９】物干し具を物干し竿などの竿状の第２被装着体に装着した第２使用状態を示す斜視図
【図１０】物干し具を竿状の第２被装着体に装着する第２使用状態において物干し本体の所望の物干し姿勢での姿勢保持を可能にする物干し本体の各被支持部に対する各支持アームの所定の支持位置を特定する目印を各支持部材の内側面と各支持アームのボス部とに一体形成した別実施形態を示す要部の拡大斜視図
【図１１】物干し具を竿状の第２被装着体に装着する第２使用状態において物干し本体の所望の物干し姿勢での姿勢保持を可能にする物干し本体の各被支持部に対する各支持アームの所定の支持位置を特定する目印を各固定軸のみに形成した別実施形態を示す要部の拡大斜視図
【発明を実施するための形態】
【００２６】
以下、本発明を実施するための形態の一例を図面に基づいて説明する。
なお、図１及び図６に記載された符号Ｆの矢印が指し示す方向が物干し具の前側であり、符号Ｌの矢印が指し示す方向が物干し具の左側である。
【００２７】
図１〜４に示すように、本実施形態に例示された物干し具１は、被支持部１０Ａが左右に配置された物干し本体１０と、被支持部１０Ａを吊り下げ支持する左右の支持アーム２０と、被支持部１０Ａに対する支持アーム２０の前後方向での支持位置調節を可能にする左右の位置調節部３０とを有している。
【００２８】
図１〜５に示すように、物干し本体１０は、その左右両端に配置された前後方向に長い左右の支持部材１１、各支持部材１１の上方に隣接して平行に配置された前後方向に長い左右の固定軸１２、及び、左右の支持部材１１に架設された左右方向に長い５本の物干し杆１３、などを有してラック状に形成されている。物干し本体１０は、左右の支持部材１１と左右の固定軸１２とから左右の被支持部１０Ａが形成されている。
【００２９】
左右の支持部材１１には、汎用樹脂の中でも比重が小さく強度の高いポリプロピレンが採用されている。各支持部材１１には、固定軸１２の前端部を支持する第１支持部１１Ａと、固定軸１２の後端部を支持する第２支持部１１Ｂと、物干し杆１３の端部を支持する５つの第３支持部１１Ｃ（図２参照）とが一体形成されている。
【００３０】
各第１支持部１１Ａは、支持部材１１の前端から上方に延びる延出片１１Ａａと、延出片１１Ａａの上部から後向きに突出する嵌合突起１１Ａｂ（図３参照）とを有している。
【００３１】
各第２支持部１１Ｂは、支持部材１１の後端から上方に延びる延出片１１Ｂａと、延出片１１Ｂａの上部から前向きに延出するボス部１１Ｂｂと、支持部材１１の後部からボス部１１Ｂｂの前側下部にわたる補強リブ１１Ｂｃとを有している。
【００３２】
各第３支持部１１Ｃは、左側の支持部材１１の右側面（内側面）又は右側の支持部材１１の左側面（内側面）から横外方に向けて突出している。各第３支持部１１Ｃは、左右の支持部材１１の内側面に前後方向に一定ピッチで並べて配置されている。各第３支持部１１Ｃには、それらの外周面における前後の側端部において前後方向に延びる係合溝１１Ｃａ（図２参照）が形成されている。
【００３３】
各固定軸１２には、押し出し成形されたステンレス製の鋼管が採用されている。各固定軸１２は、それらの前端部が支持部材１１の嵌合突起１１Ａｂに嵌合され、かつ、それらの後端部が支持部材１１のボス部１１Ｂｂに嵌合されている。
【００３４】
各物干し杆１３は、左側の支持部材１１の第３支持部１１Ｃに左端部が嵌合された第１杆材１４と、右側の支持部材１１の第３支持部１１Ｃに右端部が嵌合された第２杆材１５と、第１杆材１４の右端部に接合された第１スリーブ１６と、第２杆材１５の左端部に接合された第２スリーブ１７とを有している。
【００３５】
各第１杆材１４と各第２杆材１５には、押し出し成形されたステンレス製の鋼管が採用されている。各第１杆材１４は、各第２杆材１５よりも小径で各第２杆材１５に挿入可能に形成されている。各第１杆材１４と各第２杆材１５には、それらの外周面における前後の側端部において、各杆材１４，１５の内側に突出して各杆材１４，１５の長手方向に延びる係合部１４Ａ，１５Ａ（図２、図４参照）が形成されている。
【００３６】
各第１スリーブ１６と各第２スリーブ１７には、前述したポリプロピレンが採用されている。図示は省略するが、各第１スリーブ１６と各第２スリーブ１７には、第１杆材１４の係合部１４Ａと第２杆材１５の係合部１５Ａとに係合することで、第１杆材１４と第２杆材１５との相対回動を阻止しながら、第１杆材１４と第２杆材１５との左右方向への相対摺動を許容する被係合部が形成されている。各第１スリーブ１６と各第２スリーブ１７は、第１スリーブ１６が第２スリーブ１７に受け止められることで、第２杆材１５に対する第１杆材１４の抜け止めを行う。
【００３７】
つまり、各物干し杆１３は、第１スリーブ１６が接合された第１杆材１４の外周側に、第２杆材１５と第２スリーブ１７とが嵌合された後、第２スリーブ１７が第２杆材１５の左端部に接合されることにより、第１杆材１４と第２杆材１５との相対回動が阻止され、かつ、第１杆材１４が第２杆材１５に対して抜け止めされた状態で、第１杆材１４と第２杆材１５とが伸縮自在に連結される。そして、その連結後に、各物干し杆１３の左端部が左側の支持部材１１の第３支持部１１Ｃに嵌合され、かつ、各物干し杆１３の右端部が右側の支持部材１１の第３支持部１１Ｃに嵌合されることにより、物干し棚としても使用可能な５本の物干し杆１３を有する物干し本体１０が、左右方向に長さ調節可能に形成されている。
【００３８】
図２〜５に示すように、物干し本体１０は、左側の支持部材１１の左側面（外側面）と右側の支持部材１１の右側面（外側面）とに、前後方向に一定ピッチで並ぶ多数（ｎ個）の凹部１１ａが形成されている。多数の凹部１１ａは、それぞれ四角形に形成されている。多数の凹部１１ａは、前後方向に連続して並ぶ５つの凹部１１ａにより、左右の被支持部１０Ａにおいて、固定軸１２と平行に配置された状態で前後方向に並ぶ複数（ｎ−４個）の被係止部１０Ａａを形成している。左右の被支持部１０Ａには、各凹部１１ａの上縁を繋ぐように前後方向に延びる突条部１０Ａｂが形成されている。
【００３９】
左右の支持アーム２０には、前述したポリプロピレンが採用されている。図１〜４に示すように、各支持アーム２０は、物干し本体１０における被支持部１０Ａの固定軸１２から上方に延びる第１アーム２０Ａと、第１アーム２０Ａにおける上端部の後端から後方に延びる第２アーム２０Ｂと、第２アーム２０Ｂの後端部から下方に延びる第３アーム２０Ｃと、第１アーム２０Ａにおける上端部の前端から前下方に向けて湾曲する第４アーム２０Ｄとを有している。各支持アーム２０の左右両側部には、成形後の収縮によるヒケの発生を防ぐための肉盗みとして機能する凹部２０Ｅが形成されている。
【００４０】
各第１アーム２０Ａの下端部には、固定軸１２に前後摺動可能かつ左右方向に回動可能に嵌合するボス部（嵌合部の一例）２０Ａａと、物干し本体１０の各被支持部１０Ａに形成された複数の被係止部１０Ａａに択一的に係止可能な係止部２０Ａｂと、ボス部２０Ａａと係止部２０Ａｂとの間において前後方向に延びる係合溝２０Ａｃとが備えられている。各係止部２０Ａｂは、被係止部１０Ａａを形成する多数の凹部１１ａと同じ一定ピッチで前後方向に並ぶ５つの係止爪２０ａにより形成されている。各係止爪２０ａは、各凹部１１ａに抜き差し可能な四角推台に形成されている。
【００４１】
各位置調節部３０は、被支持部１０Ａの固定軸１２と支持アーム２０のボス部２０Ａａとの嵌合により、被支持部１０Ａに対する支持アーム２０の前後摺動と左右方向への起伏揺動とが可能な状態で被支持部１０Ａを支持アーム２０に支持させる支持部３０Ａと、支持アーム２０が物干し本体１０に対して起立する吊り下げ姿勢においては、支持アーム２０の係止部２０Ａｂが被支持部１０Ａの被係止部１０Ａａに係止して被支持部１０Ａに対する支持アーム２０の前後摺動を阻止するロック状態になり、かつ、支持アーム２０が物干し本体１０に向けて傾倒する非吊り下げ姿勢においては、支持アーム２０の係止部２０Ａｂが被支持部１０Ａの被係止部１０Ａａから離脱して被支持部１０Ａに対する支持アーム２０の前後摺動を許容する解除状態になるロック部３０Ｂとを有している。各ロック部３０Ｂは、それらのロック状態においては、被支持部１０Ａの突条部１０Ａｂが支持アーム２０の係合溝２０Ａｃに嵌まり込むことで支持アーム２０を吊り下げ姿勢に保持する。
【００４２】
つまり、各位置調節部３０は、被支持部１０Ａの固定軸１２と支持アーム２０のボス部２０Ａａとから支持部３０Ａが構成され、被支持部１０Ａの複数の被係止部１０Ａａ及び突条部１０Ａｂと支持アーム２０の係止部２０Ａｂ及び係合溝２０Ａｃとからロック部３０Ｂが構成されている。そして、各位置調節部３０は、支持アーム２０の前後摺動と左右方向への起伏揺動とを可能にする支持部３０Ａと、支持アーム２０の左右方向への起伏揺動によって支持アーム２０の前後摺動を阻止するロック状態と前後摺動を許容する解除状態とに切り替わるロック部３０Ｂを有することにより、物干し本体１０の各被支持部１０Ａに対する各支持アーム２０の前後方向での支持位置調節を可能にしている。
【００４３】
図１〜４、図６〜９に示すように、各支持アーム２０は、物干し本体１０の後方に位置する壁状の第１被装着体２に備えられた被係合部２Ａに対して係脱自在な第１係合部２１と、物干し本体１０の上方に位置する竿状の第２被装着体３に対して係脱自在な第２係合部２２とを有している。壁状の第１被装着体２としては、ベランダやバルコニの手すり壁（図６〜７参照）や手すり柵、浴室の壁（図８参照）、浴室や各部屋のドア、窓枠を有する部屋の壁、引き出しの前板、又は、パネル型のオイルヒータ、などが想定されている。第１被装着体２の被係合部２Ａとしては、手すり壁や手すり柵の上端部を形成する手すり部（図６〜７参照）、浴室の壁やドアに備えられたタオル掛け（図８参照）、ドアの上端部、壁の窓枠、又は、引き出しの前板やオイルヒータの上端部、などが想定されている。竿状の第２被装着体３としては、物干し台や浴室内の一対の竿受け具に支持された物干し竿（図９参照）、などが想定されている。
【００４４】
図１〜９に示すように、各第１係合部２１は、第２アーム２０Ｂと第３アーム２０Ｃとから第１アーム２０Ａの後側に位置する横向きのＬ字フック状に形成されている。各第２係合部２２は、第１アーム２０Ａと第４アーム２２Ｄとから第１アーム２０Ａの前側に位置する下向きのＪ字フック状に形成されている。物干し本体１０は、左右の支持部材１１の後端部に、第１係合部２１が第１被装着体２の被係合部２Ａに係合されたときに、第１被装着体２に受け止められる被受止部１８を有している。各位置調節部３０は、各支持アーム２０の第１係合部２１が第１被装着体２の被係合部２Ａに係合され、かつ、物干し本体１０の各被受止部１８が第１被装着体２に受け止められる第１使用状態と、各支持アーム２０の第２係合部２２が第２被装着体３に係合される第２使用状態とのそれぞれにおいて、物干し本体１０の水平姿勢などの所望の物干し姿勢での姿勢保持を可能にする複数の支持位置として機能する複数の被係止部１０Ａａを有している。
【００４５】
以上の構成により、この物干し具１をベランダの手すり壁や浴室のドアなどの壁状の第１被装着体２に装着して使用する場合は、図６〜８に示すように、各支持アーム２０の第１係合部２１を、物干し本体１０の後方に位置する第１被装着体２の被係合部２Ａである手すり壁の手すり部（図６〜７参照）やドアの上端部、又は、浴室の壁やドアに備えられたタオル掛け（図８参照）などに係合すれば、このときの前後バランスにより、物干し本体１０の各被受止部１８が第１被装着体２に受け止められる。これにより、物干し具１を第１被装着体２に安定性良く取り付けることができる。そして、この取り付け前に、各支持アーム２０の第１係合部２１と物干し本体１０の各被受止部１８との前後方向での離隔距離が第１被装着体２の厚みや形状などに応じた適正な距離になるように、物干し本体１０の各被支持部１８に対する各支持アーム２０の支持位置を前後方向に調節しておくことにより、物干し具１を第１被装着体２に取り付けた状態での物干し本体１０の取り付け姿勢を、水平姿勢などの所望の物干し姿勢に安定性良く保持することができる。具体的には、例えば、図６〜７に示すように、各支持アーム２０の第１係合部２１を手すり壁２の手すり部２Ａに係合した場合は、各支持アーム２０の第１係合部２１と物干し本体１０の各被受止部１８との前後方向での離隔距離が、手すり壁２における手すり部２Ａの後端と壁部２Ｂの前面との前後方向での離隔距離に応じた適正な距離になるように、物干し本体１０の各被支持部１８に対する各支持アーム２０の支持位置を前後方向に調節しておくことにより、物干し具１を手すり壁２に取り付けた状態での物干し本体１０の取り付け姿勢を、水平姿勢などの所望の物干し姿勢に安定性良く保持することができる。又、図８に示すように、各支持アーム２０の第１係合部２１を浴室の壁２に備えられたタオル掛け２Ａに係合した場合は、各支持アーム２０の第１係合部２１と物干し本体１０の各被受止部１８との前後方向での離隔距離が、浴室の壁２におけるタオル掛け２Ａと壁面との前後方向での離隔距離に応じた適正な距離になるように、物干し本体１０の各被支持部１８に対する各支持アーム２０の支持位置を前後方向に調節しておくことにより、物干し具１を浴室の壁に取り付けた状態での物干し本体１０の取り付け姿勢を、水平姿勢などの所望の物干し姿勢に安定性良く保持することができる。
【００４６】
又、この物干し具１を物干し台に支持された物干し竿などの竿状の第２被装着体３に装着して使用する場合は、図９に示すように、各支持アーム２０の第２係合部２２を、物干し本体１０の上方に位置する第２被装着体３である物干し竿などに係合することにより、物干し具１を第２被装着体３に取り付けることができる。そして、この取り付け前に、物干し本体１０の各被支持部１０Ａに対する各支持アーム２０の支持位置を、各支持アーム２０の第２係合部２２を吊り下げ位置とした物干し具１の前後バランスに応じて前後方向に適正に調節しておくことにより、物干し具１を第２被装着体３に取り付けた状態での物干し本体１０の取り付け姿勢を、物干し具１の自重によって水平姿勢などの所望の物干し姿勢に保持することができる。
【００４７】
その結果、ベランダの手すり壁や浴室のドアなどの壁状の第１被装着体２だけでなく、物干し台に支持された物干し竿などの竿状の第２被装着体３にも、所望の取り付け姿勢で装着することができて良好に使用することができる汎用性の高い物干し具１を得ることができる。
【００４８】
そして、各位置調節部３０による支持位置調節に関しては、図１〜４、図６〜９に示すように、非吊り下げ姿勢の各支持アーム２０を、物干し本体１０の各被支持部１０Ａに対して前後摺動させて、各被支持部１０Ａに対する各支持アーム２０の支持位置を、装着する第１被装着体２又は第２被装着体３に適した前後位置に調節した後、各支持アーム２０を非吊り下げ姿勢から吊り下げ姿勢に起立揺動させることで、ロック部３０Ｂを解除状態からロック状態に切り替えることができ、各被支持部１０Ａに対する各支持アーム２０の支持位置を調整後の適正な前後位置に保持することができる。その後、各支持アーム２０の第１係合部２１又は第２係合部２２を第１被装着体２の被係合部２Ａ又は第２被装着体３に係合すれば、物干し具１を、その自重で各支持アーム２０を吊り下げ姿勢に維持し、かつ、各ロック部３０Ｂをロック状態に維持した状態で、第１被装着体２又は第２被装着体３に装着することができ、これにより、各位置調節部３０による支持位置調節が不測に行われる虞を回避することができる。
【００４９】
又、この物干し具１を第１被装着体２又は第２被装着体３から取り外して所定の場所に収納する場合は、図１〜４、図６〜９に示すように、各支持アーム２０の第１係合部２１又は第２係合部２２を第１被装着体２の被係合部２Ａ又は第２被装着体３から離脱させた後、各支持アーム２０を吊り下げ姿勢から非吊り下げ姿勢に倒伏揺動させることで物干し具１の高さ寸法を短くすることができる。又、物干し本体１０の各物干し杆１３を収縮させることにより、物干し具１の左右幅を狭くすることができる。そして、各支持アーム２０の倒伏揺動により、ロック部３０Ｂがロック状態から解除状態に切り替えられて、各被支持部１０Ａに対する各支持アーム２０の前後摺動が許容されることから、物干し具１の前後長さを短くすることができる。
【００５０】
その結果、物干し具１を壁状の第１被装着体２と竿状の第２被装着体３とに装着して使用することができる汎用性の高いものにしながら、第１被装着体２又は第２被装着体３に装着した使用状態では、各位置調節部３０による支持位置調節が不測に行われる虞を回避することができ、かつ、第１被装着体２又は第２被装着体３から取り外した収納状態では、物干し具１を高さが低く左右幅と前後長さが短い収納に適した状態にすることができる。
【００５１】
そして、図３〜４に示すように、各位置調節部３０において、物干し本体１０の各被支持部１０Ａに形成される複数（ｎ−４個）の被係止部１０Ａａは、それぞれ、前後方向に一定ピッチで並ぶ多数（ｎ個）の凹部１１ａのうちの前後方向に連続して並ぶ５つの凹部１１ａにより形成され、各支持アーム２０の係止部２０Ａｂは、多数の凹部１１ａと同じ一定ピッチで前後方向に並ぶ５つの係止爪２０ａにより形成されていることから、各支持アーム２０の係止部２０Ａｂを物干し本体１０の各被係止部１０Ａａに係止させた状態では、各係止部２０Ａｂの５つの係止爪２０ａが各被係止部１０Ａａの５つの凹部１１ａに係止していることから、各被支持部１０Ａに対する各支持アーム２０の前後摺動を阻止するときの負荷を、５つの係止爪２０ａと５つの凹部１１ａとに分散させることができ、その負荷に起因した係止部２０Ａｂや被係止部１０Ａａの破損を生じ難くすることができる。
【００５２】
更に、各支持アーム２０を吊り下げ姿勢に起立揺動させた物干し具１の使用状態では、物干し本体１０における各被支持部１０Ａの固定軸１２が各支持アーム２０の嵌合部２０Ａａにより支持され、かつ、各被支持部１０Ａの被係止部１０Ａａが各支持アーム２０の係止部２０Ａｂを形成する５つの係止爪２０ａによって前後方向に長く支持されることから、物干し本体１０の各被支持部１０Ａに対する各支持アーム２０の支持力を高めることができる。
【００５３】
又、物干し本体１０の各被支持部１０Ａに対する各支持アーム２０の前後方向での支持位置調節は、多数の凹部１１ａを前後方向に並べて形成するために狭く設定される凹部１１ａの配置ピッチで、被係止部１０Ａａの数量に応じたｎ−４段階で細かく行うことができる。これにより、この物干し具１をベランダやバルコニの手すり壁又は浴室のドアなどの第１被装着体２に装着して使用する場合は、各支持アーム２０の第１係合部２１と物干し本体１０の被受止部１０Ａとの前後方向での離隔距離を第１被装着体２の厚みや形状などに応じたより適正な距離に調節することができる。又、この物干し具１を物干し台に支持された物干し竿などの第２被装着体３に装着して使用する場合は、物干し本体１０の各被支持部１０Ａに対する各支持アーム２０の支持位置を、各支持アーム２０の第２係合部２２を吊り下げ位置とした物干し具１の前後バランスに応じたより適正な位置に調節することができる。
【００５４】
その結果、物干し具１を第１被装着体２又は第２被装着体３に装着した使用状態での物干し本体１０の取り付け姿勢を、水平姿勢などの所望の物干し姿勢に精度良く設定することができる。
【００５５】
又、各支持アーム２０においては、図１、図３〜４、図６〜９に示すように、第１係合部２１と第２係合部２２とが第１アーム２０Ａを挟んで前後に配置されることから、物干し具１をベランダの手すり壁などの第１被装着体２に装着して使用する場合は、第１アーム２０Ａの後側に位置する各第１係合部２１を、第１被装着体２の被係合部２Ａである手すり壁の上端部などに容易に係合することができ、これにより、物干し具１を第１被装着体２に簡単に装着することができる。又、物干し具１を物干し台に支持された物干し竿などの第２被装着体３に装着して使用する場合は、第１アーム２０Ａの前側に位置する各第２係合部２２を、第２被装着体３である物干し竿などに容易に係合することができ、これにより、物干し具１を第２被装着体３に簡単に装着することができる。
【００５６】
そして、例えば、各第２係合部２２が第１アーム２０Ａや第２アーム２０Ｂよりも上方に形成されていると、各第１係合部２１を使用して物干し具１をベランダの手すり壁などに装着した場合に、各第２係合部２２がベランダの手すり壁から上方に露出することによる見栄えの低下を招くことになるが、この物干し具１においては、各第２係合部２２が第１アーム２０Ａや第２アーム２０Ｂよりも上方に形成されないことから、各第２係合部２２がベランダの手すり壁から上方に露出することによる見栄えの低下を回避することができる。
【００５７】
図１、図３〜４に示すように、各支持アーム２０は、それらの第１アーム２０Ａが後傾斜姿勢で上方に延びるように形成されており、これにより、第２係合部２２がボス部２０Ａａの略真上に位置するように形成されている。そして、このように各支持アーム２０が形成されていることにより、物干し具１を収納する場合には、図１に示すように、各支持アーム２０を、それらのボス部２０Ａａが物干し本体１０における各固定軸１２の前端部に位置するように前方に向けて摺動させることにより、物干し具１を、各支持アーム２０が物干し本体１０の前後幅内に略収まる前後長さの短い状態にすることができる。
【００５８】
物干し本体１０において、各被受止部１８には軟質のポリエチレンが採用されている。これにより、図６〜８に示すように、物干し具１をベランダの手すり壁や浴室のドアなどの壁状の第１被装着体２に装着して使用する場合に、物干し本体１０の各被受止部１８が第１被装着体２に受け止められることに起因して第１被装着体２の表面が傷付くことを防止している。
【００５９】
図３〜４に示すように、各被受止部１８は、支持部材１１における第２支持部１１Ｂのボス部１１Ｂｂに嵌合される筒状部１８Ａを有している。各筒状部１８Ａには、ボス部１１Ｂｂの前後中間部に形成された係止孔１１ｂに係止される係合片１８ａが備えられている。これにより、各被受止部１８は、それらの筒状部１８Ａが第２支持部１１Ｂのボス部１１Ｂｂに嵌合され、それらの係合片１８ａがボス部１１Ｂｂの係止孔１１ｂに係止されることにより、固定軸１２が挿入されるボス部１１Ｂｂの貫通孔を塞ぐように支持部材１１の後端部に取り付けられている。
【００６０】
〔別実施形態〕
本発明の別実施形態について説明する。
なお、以下に説明する各別実施形態の構成は、それぞれ単独で適用することに限らず、他の別実施形態の構成と組み合わせて適用することも可能である。
【００６１】
（１）物干し本体１０は、左右方向に長さ調節不能に構成されていてもよい。
又、物干し本体１０における物干し杆１３の本数や配置間隔などは種々の変更が可能である。
【００６２】
（２）左右の支持アーム２０は、物干し本体１０の被支持部１０Ａに対して着脱可能に構成されていてもよい。
この構成に関しては、例えば、各支持アーム２０の嵌合部（ボス部）２０Ａａに、固定軸１２に対する支持アーム２０の着脱を可能にする前後向きのスリットを形成することなどが考えられる。
【００６３】
（３）左右の支持アーム２０の形状は種々の変更が可能である。
例えば、左右の支持アーム２０は、竿状の第２被装着体３に対して係脱自在な第２係合部２２が、第２アーム２０Ｂの上端よりも上方に突出する形状に形成されていてもよい。
例えば、左右の支持アーム２０は、それらの第１係合部２１が物干し本体１０の被支持部１０Ａから垂直に延びる形状に形成されていてもよい。
【００６４】
（４）左右の位置調節部３０の構成は種々の変更が可能である。
例えば、左右の位置調節部３０は、物干し本体１０の被支持部１０Ａに対する支持アーム２０の前後摺動が可能で、かつ、左右方向への起伏揺動が不能な状態で被支持部１０Ａを支持アーム２０に支持させる支持部３０Ａと、支持アーム２０の前後摺動に伴って、係止部２０Ａｂがいずれかの被係止部１０Ａａ（凹部１１ａ）に入り込む係止状態と、係止部２０Ａｂが被係止部１０Ａａから離脱する解除状態とに切り替わるデテント式のロック部３０Ｂとを有するように構成されていてもよい。
例えば、図１０に示すように、左右の位置調節部３０は、各支持アーム２０の第２係合部２２が竿状の第２被装着体３に係合される第２使用状態において、物干し本体１０の所望の物干し姿勢での姿勢保持を可能にする物干し本体１０の各被支持部１０Ａに対する各支持アーム２０の所定の支持位置を特定する目印３０ａが、各支持部材１１の内側面と各支持アーム２０のボス部２０Ａａとに一体形成されていてもよい。なお、前述した目印３０ａは、図１１に示すように各固定軸１２のみに形成されていてもよく、又、各支持部材１１の上面のみに形成されていてもよい。又、目印３０ａの形状は、図１０〜１１に示す△マーク以外の矢印やラインなどであってもよい。
【００６５】
（５）物干し本体１０の左右の被支持部１０Ａに備えられる複数の被係止部１０Ａａ、及び、左右の支持アーム２０に備えられる係止部２０Ａｂの構成は種々の変更が可能である。
例えば、物干し本体１０の各被係止部１０Ａａを形成する凹部１１ａの数量、及び、各支持アーム２０の係止部２０Ａｂを形成する係止爪２０ａの数量を変更してもよい。
例えば、物干し本体１０の各被係止部１０Ａａを係止突起で形成し、各支持アーム２０の係止部２０Ａｂを凹部で形成してもよい。
【００６６】
（６）物干し本体１０の各被係止部１０Ａａを形成する凹部１１ａなどの形状や大きさ、及び、各支持アーム２０の係止部２０Ａｂを形成する係止爪２０ａなどの形状や大きさは種々の変更が可能である。
【符号の説明】
【００６７】
２        第１被装着体
２Ａ      被係合部
３        第２被装着体
１０      物干し本体
１０Ａ    被支持部
１０Ａａ  被係止部
１１ａ    凹部
１２      固定軸
１８      被受止部
２０      支持アーム
２０Ａ    第１アーム
２０Ａａ  嵌合部（ボス部）
２０Ａｂ  係止部
２０Ｂ    第２アーム
２０Ｃ    第３アーム
２０Ｄ    第４アーム
２０ａ    係止爪
２１      第１係合部
２２      第２係合部
３０      位置調節部
３０Ａ    支持部
３０Ｂ    ロック部
【図１】
2020048669.tif 000003
【図２】
2020048669.tif 000004
【図３】
2020048669.tif 000005
【図４】
2020048669.tif 000006
【図５】
2020048669.tif 000007
【図６】
2020048669.tif 000008
【図７】
2020048669.tif 000009
【図８】
2020048669.tif 000010
【図９】
2020048669.tif 000011
【図１０】
2020048669.tif 000012
【図１１】
2020048669.tif 000013